(57)【要約】【課題】収納空間を圧迫せず且つ鏡のサイズを小さくすることのないＬＥＤ照明を設置できる洗面化粧台を提供する。【解決手段】  床面に設置される下キャビネットと、前記下キャビネットの上部に取付けられるボウル部２１と、ボウル部２１に流水を流す吐水部２３と、前記下キャビネットの上面の後端部から立設されるバックガード２２と、バックガード２２の上端に設置される鏡面部と、前記鏡面部よりも下方の空間である機器設置空間１３と、機器設置空間１３を覆うカバー部１６と、バックガード２２に設けられるＬＥＤ照明１５と、取付口はカバー部１６に設置され本体は機器設置空間１３に設置される電源コンセント１３ａと、機器設置空間１３に設置されるＬＥＤ制御部と、を備えることを特徴とする。【選択図】図１
2014030648.tif 000002
【特許請求の範囲】
【請求項１】
床面に設置される下キャビネットと、前記下キャビネットの上部に取付けられるボウル部と、前記ボウル部に流水を流す吐水部と、前記下キャビネットの上面の後端部から立設されるバックガードと、前記バックガードの上端に設置される鏡面部と、前記鏡面部よりも下方の空間である機器設置空間と、前記機器設置空間を覆うカバー部と、前記バックガードに設けられるＬＥＤ照明と、取付口は前記カバー部に設置され本体は前記機器設置空間に設置される電源コンセントと、前記機器設置空間に設置されるＬＥＤ制御部と、を備えることを特徴とする洗面化粧台。
【請求項２】
前記鏡面部として、前記鏡面部の内部の上下方向の底部に設けられる棚板と、前記鏡面部の内部空間で前記棚板よりも上方の空間である収納空間と、前記収納空間の前面の開口を開閉する鏡付扉と、を有する上キャビネットを備えることを特徴とする請求項１記載の洗面化粧台。
【請求項３】
前記カバー部は着脱自在に取付けられていることを特徴とする請求項１又は請求項２記載の洗面化粧台。
【請求項４】
前記吐水部が前記バックガードに設けられることを特徴とする請求項１乃至請求項２いずれか１項に記載の洗面化粧台。
【発明の詳細な説明】
【技術分野】
【０００１】
本発明は、洗面化粧台に関するものである。
【背景技術】
【０００２】
従来から、洗面化粧台の上部にキャビネットが設けられ、キャビネットの上部に照明が取り付けられ、キャビネットの下部にコンセント等の給電装置が設置されている洗面化粧台が知られている（例えば特許文献１参照）。
【先行技術文献】
【特許文献】
【０００３】
【特許文献１】特開２００１−２８６４０７号公報
【特許文献２】特開２００７−０７５１６９号公報
【発明の概要】
【発明が解決しようとする課題】
【０００４】
ところで、特許文献１に記載されている鏡面部の前面に鏡付扉を備えた洗面化粧台に、ＬＥＤ照明を設けようとすると、ＬＥＤ照明の照明部分は従来よりも場所を取らず、省スペース化することができる。しかし、ＬＥＤ照明の制御部のサイズが大きいため、収納空間に制御部を設置すると（例えば特許文献２参照）、収納空間が圧迫されてしまう。また、鏡面部でキャビネットがなく鏡のみの場合の洗面化粧台においては、制御部をＬＥＤ照明の付近に設置しようとすると、ＬＥＤ照明が省スペースになったとしても制御部が大きいため鏡のサイズを広くすることができない。
【０００５】
本発明は上記従来の問題点に鑑みて発明したものであって、その目的とするところは、ＬＥＤ照明の設置により鏡のサイズを広くすること、又は収納空間を圧迫しない洗面化粧台を提供するものである。
【課題を解決するための手段】
【０００６】
上記課題を解決するために、本発明は、以下のような構成とする。
【０００７】
洗面化粧台は、床面に設置される下キャビネットと、前記下キャビネットの上部に取付けられるボウル部と、前記ボウル部に流水を流す吐水部と、前記下キャビネットの上面の後端部から立設されるバックガードと、前記バックガードの上端に設置される鏡面部と、前記鏡面部よりも下方の空間である機器設置空間と、前記機器設置空間を覆うカバー部と、前記バックガードに設けられるＬＥＤ照明と、取付口は前記カバー部に設置され本体は前記機器設置空間に設置される電源コンセントと、前記機器設置空間に設置されるＬＥＤ制御部と、を備えることを特徴とする。
【０００８】
また、前記鏡面部として、前記鏡面部の内部の上下方向の底部に設けられる棚板と、前記鏡面部の内部空間で前記棚板よりも上方の空間である収納空間と、前記収納空間の前面の開口を開閉する鏡付扉と、を有する上キャビネットを備えることが好ましい。
【０００９】
また、前記カバー部は着脱自在に取付けられていることが好ましい。
【００１０】
また、前記吐水部が前記バックガードに設けられることが好ましい。
【発明の効果】
【００１１】
本発明の洗面化粧台は、収納空間を圧迫せず又は鏡のサイズを小さくすることのないＬＥＤ照明を設置できる。
【図面の簡単な説明】
【００１２】
【図１】本実施形態の洗面化粧台の斜視図である。
【図２】本実施形態の洗面化粧台の鏡付扉が開いている正面図である。
【発明を実施するための形態】
【００１３】
以下、本発明を添付図面に示す実施形態に基いて説明する。
【００１４】
本実施形態の洗面化粧台２は、下キャビネット（図示せず）と、ボウル部２１と、バックガード２２と、吐水部２３と、鏡面部となす上キャビネット１と、を備えている。また、洗面化粧台２は、機器設置空間１３と、カバー部１６と、ＬＥＤ照明１５と、電源コンセント１３ａと、ＬＥＤ制御部（図示せず）とを備えている。下キャビネットの上部にボウル部２１は設けられ、下キャビネットの後端部から上方にバックガード２２は立設され、バックガード２２の上端に上キャビネット１は設置される。
【００１５】
下キャビネットは、床面に設置され、内部は収納部となり、収納部の前面の開口を開閉する扉が取付けられている。また、収納部には、後述するボウル部２１に溜まった流水が下水管へと流出するための排水管が設けられている。
【００１６】
ボウル部２１は、本実施形態では矩形状となっているが、半球となっていてもよく、形状は限定されない。ボウル部２１の底面には、排水口（図示せず）が設けられており、底面は排水口に向かって放射状に傾斜している。ボウル部２１は、ステンレスや陶器等で形成されるが、材質は限定されない。
【００１７】
吐水部２３は、本実施形態ではバックガード２２に取付けられている。吐水部２３は、赤外線センサ等で手が吐水部２３の下方にあることを検知し、自動で流水を開始する形態でもよいし、手動で流水を開始する形態であってもよい。
【００１８】
上キャビネット１は、図１に示すように、矩形状となっており、鏡付扉１１と、ＬＥＤ照明１５と、棚板１４と、を備えている。
【００１９】
棚板１４は、図２に示すように、上キャビネット１の内部の上下方向の底部に設けられる。棚板１４は、上キャビネット１の左右方向の長さと等しく形成されている。棚板１４の上方は収納空間１２となっている。
【００２０】
収納空間１２は、区切り板１２ａで収納空間１２が分けられており、区切り板１２ａの数は限定されず、また区切り板１２ａは無くてもよい。
【００２１】
ＬＥＤ照明１５は、蛍光灯や白熱電球に代わって取り付けられ、蛍光灯や白熱電球といった従来の照明器具と比較すると、長寿命で、信頼性が高く、低消費電力や低発熱性、耐衝撃性や、高速応答性という点で優れている。ＬＥＤ照明１５は、本実施形態では、上キャビネット１の上部に取付けられているが、取付ける場所は特に限定されない。
【００２２】
鏡付扉１１は、図２に示すように、収納空間１２の前面の開口を開閉する。また、鏡付扉１１は、上キャビネット１に取付けられ、収納空間１２の前面の開口を開閉するために設けられている。本実施形態では、鏡付扉１１は三つ備えられている。鏡付扉１１の回動軸は上キャビネット１の左右方向の中間部に、上下方向を長さ方向として二つ備えられており、正面視左側の回動軸を左回動軸１１ａ、正面視右側の回動軸を右回動軸１１ｂとする。左端に備えられている鏡付扉１１は、図２に示すように左回動軸１１ａを中心として右方向に回動する。真中に備えられている鏡付扉１１は、図２に示すように左回動軸１１ａを中心として左方向に回動する。右端に備えられている鏡付扉１１は、図２に示すように右回動軸１１ｂを中心として左方向に回動する。なお、鏡付扉１１の数や形状や回動方向、回動軸の数や形状、は限定されない。
【００２３】
カバー部１６は、電源コンセント１３ａと、ＬＥＤ制御部と、をカバー部１６の内部の空間であり上キャビネット１よりも下方に設けられる機器設置空間１３に備えている。また、カバー部１６は機器設置空間１３を覆うために備えられている。機器設置空間１３をカバー部１６で覆うことにより、吐水部２３からの流水が跳ねて、電源コンセント１３ａやＬＥＤ制御部に水がかかることを防止する。また、カバー部１６は上キャビネット１に着脱自在に取付けられている。例えば、カバー部１６が係止爪を有し上キャビネット１に係止爪に対応した係止溝が備えられ、係止溝に係止爪を嵌め込む、といったものが考えられる。
【００２４】
機器設置空間１３には、電源コンセント１３ａとＬＥＤ照明１５と電気的に接続されているＬＥＤ制御部とが設置されている。電源コンセント１３ａの側方にＬＥＤ制御部は設置される。機器設置空間１３の幅方向の長さは収納空間１２と等しくなっている。
【００２５】
電源コンセント１３ａは、洗面化粧台２で使用する電気機器、例えばドライヤーや電気剃刀といったものに給電するために設けられている。電源コンセント１３ａの取付口はカバー部１６に設置され、電気を流すための構成を有する本体は機器設置空間に設置されている。本実施形態では、カバー部１６は機器設置空間１３の左側に設けられているが、場所は特に限定されない。
【００２６】
ＬＥＤ制御部は、ＬＥＤが極性のある直流によって発光し、適正電圧と耐圧がともに低く、使用には専用の電源が必要となるため、設置される。ＬＥＤはダイオードであるため、順方向と電流と順電圧には相関があり、数ボルト程度の低い電圧に応じた順電圧が少し上昇するだけで、過大な順方向電流が流れて損傷を受ける。これを回避するために電流制限抵抗をＬＥＤに直列に挿入して電圧変動による影響を少なくしていたりするので、ＬＥＤ制御部は大きくなってしまう。
【００２７】
機器設置空間１３は、機器設置空間１３の一部に電源コンセント１３ａしか設置されず、それ以外の空間がデッドスペースとなっていた。そのデッドスペースを活用し、照明部分の省スペース化を図るために、照明部分をＬＥＤ照明１５に代えることが考えられた。ＬＥＤ照明１５を設置するためにはＬＥＤ制御部が必要となるが、ＬＥＤ制御部のサイズは大きく収納部に設置したのでは収納スペースを圧迫し、外部に設置したのでは、外観を損ねてしまう。そこで、機器設置空間１３のデッドスペースにＬＥＤ制御部を設置した。このため、機器設置空間１３を有効に利用することができ、またＬＥＤ制御部による収納空間１２の圧迫を無くすことができる。
【００２８】
また、吐水部２３がバックガード２２に設けられることにより、カバー部１６を外し、電源コンセント１３ａとＬＥＤ制御部を外すと、吐水部２３の修理が行えるので、他の場所に吐水部２３が取付けられるよりも、修理が行い易い。
【００２９】
なお、上述した洗面化粧台２では上キャビネット１を鏡面部としているが、鏡面部は必ずしも上キャビネット１を必須とせず、収納のない鏡であってもよい。上キャビネットが無い場合、鏡はカバー部１６の後端から上方に延設されるバックガード２２の前面に取付けられる。このような場合、カバー部１６の上面に洗面用具を置くことができる。
【符号の説明】
【００３０】
１    上キャビネット
１１  鏡付扉
１１ａ  左回動軸
１１ｂ  右回動軸
１２  収納空間
１２ａ  区切り板
１３  機器設置空間
１３ａ  電源コンセント
１４  棚板
１５  ＬＥＤ照明
１６  カバー部
２    洗面化粧台
【図１】
2014030648.tif 000003
【図２】
2014030648.tif 000004